(57)【要約】      （修正有）【課題】異なるサイズの被保持物でもそれを支障なく保持できる保持装置を提供する。【解決手段】所定の軸線Ｘを囲むように設けたアーム支持部材２と、アーム支持部材２から軸線Ｘと直交する径方向に延伸する上部アームユニット３と、それぞれアーム支持部材２から軸線Ｘに直交する別々の他の径方向に延伸するとともに各々の延伸方向に沿って軸線Ｘから離れる延伸位置と、これに近づく非延伸位置との間で伸縮可能に構成する２つの下部アーム４２と、これらを各々アーム支持部材２に固定し伸縮不能にしたり該固定を解除して伸縮可能にする２つの下部固定部材とを有する下部アームユニット４とを含み、各下部アームは、各々軸線Ｘの近くを中心とし、上部アームユニット３に近づく第１位置と、これから離れる第２位置との間で微少回動可能になることを特徴とする。【選択図】図２
0003184303.tif 000002
【実用新案登録請求の範囲】
【請求項１】
被保持物を保持するための保持装置であって、
前後方向に延伸する所定の軸線を囲むように設けられたアーム支持部材と、
前記アーム支持部材から前記軸線と直交する径方向に延伸する上部アームユニットと、
前記上部アームユニットとの間に前記被保持物を支持するための保持面を画成するようにそれぞれ前記アーム支持部材から前記軸線に直交する他の径方向に且つ互いに離れるように延伸するとともに、それぞれの延伸方向に沿って前記アーム支持部材に対して前記軸線から離れる延伸位置と、前記軸線に近づく非延伸位置との間で伸縮可能になるように構成されている２つの下部アームと、前記２つの下部アームをそれぞれ前記アーム支持部材に固定して伸縮不能にしたり該固定を解除して伸縮可能にしたりする２つの下部固定部材と、を有する下部アームユニットと、
を含み、
各前記下部アームは、それぞれ前記保持面において前記軸線の近くを中心として、前記上部アームユニットに近づく第１位置と、前記上部アームユニットから離れる第２位置との間で微少回動可能になっている、ことを特徴とする保持装置。
【請求項２】
前記各下部アームは、それぞれ一端が前記アーム支持部材にヒンジ結合されており、他端が前記下部固定部材に貫かれている下部制動アームを有しており、
前記下部制動アームは、それぞれ対応する前記下部アームと前後方向で重なっており、且つ、前記下部アームに面している制動部を有しており、
前記各下部アームは、対応する前記制動部と互いに離脱可能に噛み合っている被制動部を有している、ことを特徴とする請求項１に記載の保持装置。
【請求項３】
前記制動部及びそれに対応する前記被制動部は、それぞれ互いに噛み合って係止されることができるように歯切りされたラックである、ことを特徴とする請求項２に記載の保持装置。
【請求項４】
前記アーム支持部材には、各前記下部アームに対応して、対応する前記下部固定部材に貫かれているとともに第１端とその反対端である第２端とを有する位置調整溝が設けられており、
前記各下部固定部材はそれぞれ前記第１端と前記第２端との間で移動可能になっており、
前記各下部アームがそれぞれ前記第１位置にあるとき、前記各下部固定部材はそれぞれ対応する前記位置調整溝の前記第１位置に対応する前記第１端に位置し、
前記各下部アームがそれぞれ前記第２位置にあるとき、前記各下部固定部材はそれぞれ対応する前記位置調整溝の前記第２位置に対応する前記第２端に位置するように構成されている、ことを特徴とする請求項１〜３のいずれか一項に記載の保持装置。
【請求項５】
前記下部アームユニットは、そのいずれの下部アーム先端にも、それぞれ一端が該先端に前後方向に揺動可能にヒンジ接続され、他端が該先端から前方に向かって突き出るように延伸している下部保持爪を有している、ことを特徴とする請求項１〜４のいずれか一項に記載の保持装置。
【請求項６】
前記上部アームユニットは、前記アーム支持部材から前記軸線と直交する径方向に沿って上方に向かって延伸するとともに、その延伸方向に沿って前記アーム支持部材に対して、前記軸線から離れる延伸位置と、前記軸線に近づく非延伸位置との間で伸縮可能になるように構成されている上部アームと、前記上部アームを前記アーム支持部材に固定して伸縮不能にしたり該固定を解除して伸縮可能としたりする上部固定部材と、を有している、ことを特徴とする請求項１〜５のいずれか一項に記載の保持装置。
【請求項７】
前記上部アームは、一端が前記アーム支持部材にヒンジ結合されており、他端が前記上部固定部材に貫かれている上部制動アームを有しており、
前記上部制動アームは、前記上部アームと前後方向で重なっており、且つ、前記上部アームに面している制動部を有しており、
前記上部アームは、前記上部制動アームの前記制動部と互いに離脱可能に噛み合っている被制動部を有している、ことを特徴とする請求項６に記載の保持装置。
【請求項８】
前記上部アームユニットは、その上部アーム先端に、一端が該先端に前後方向に揺動可能にヒンジ接続され、他端が該先端から前方に向かって突き出るよう延伸している上部保持爪を有している、ことを特徴とする請求項６又は７に記載の保持装置。
【請求項９】
前記上部アームは、それ自体に、その延伸方向に沿って延伸するように穿設されている位置決めスリットを有しており、
前記上部固定部材は、前記アーム支持部材と、前記上部アームの前記位置決めスリットとを貫通するように設けられており、
前記各下部アームは、それぞれ自体に、その延伸方向に沿って延伸するように穿設されている位置決めスリットを有しており、
前記各下部固定部材は、それぞれに対応する前記アーム支持部材と、前記下部アームの前記位置決めスリットとを貫通するように設けられている、ことを特徴とする請求項６〜８のいずれか一項に記載の保持装置。
【請求項１０】
前記保持面において前記被保持物に後方から当接できるように前方に面して設けられている押止部材と、回転されると前記押止部材を前後方向に移動させることができるように前記アーム支持部材を貫通しているとともに後方から前記押止部材と螺接されている位置調整つまみと、を有する押止ユニットを更に含む、ことを特徴とする請求項１〜９のいずれか一項に記載の保持装置。
【考案の詳細な説明】
【技術分野】
【０００１】
本考案は、保持装置に関し、特に携帯式電子機器などを保持するための装置に関するものである。
【背景技術】
【０００２】
携帯式電子機器、例えばタブレットコンピュータなどは、携帯時に保護手段としたり使用時に固定手段としたりするための保持装置とともに用いられることが多い。
【０００３】
図１は、特許文献１に示されている、上記のような保持装置の一例である。特許文献１の考案によれば、保持装置１は、保持板の四角に保持手段である保持爪１１がそれぞれ突設されており、これら保持爪１１に電子機器１９の四角を嵌め込んで固定している。
【先行技術文献】
【特許文献】
【０００４】
【特許文献１】台湾登録実用新案公報第Ｍ４２８６９４号
【考案の概要】
【考案が解決しようとする課題】
【０００５】
しかしながら、上記のような保持装置では、各保持手段間の間隔が固定されているので、サイズが異なる電子機器に同一の保持装置を用いることができず、電子機器のサイズによって別々の保持装置を用いる必要があり、使用者にとって不便であった。また、保持手段の間隔と、保持したい電子機器のサイズとがぴったりでないと、両者の間に隙間ができることで電子機器ががたついたりして保持が不安定になるという問題点もあった。
【０００６】
本考案は、これらの問題点に鑑みてなされたものであり、異なるサイズの被保持物でも、支障なく安定して保持することができる保持装置を提供することを目的とする。
【課題を解決するための手段】
【０００７】
上記目的を達成するための手段として、本考案は、以下の装置を提供する。即ち、被保持物を保持するための保持装置であって、前後方向に延伸する所定の軸線を囲むように設けられたアーム支持部材と；前記アーム支持部材から前記軸線と直交する径方向に延伸する上部アームユニットと；前記上部アームユニットとの間に前記被保持物を支持するための保持面を画成するようにそれぞれ前記アーム支持部材から前記軸線に直交する他の径方向に且つ互いに離れるように延伸するとともに、それぞれの延伸方向に沿って前記アーム支持部材に対して前記軸線から離れる延伸位置と、前記軸線に近づく非延伸位置との間で伸縮可能になるように構成されている２つの下部アームと、前記２つの下部アームをそれぞれ前記アーム支持部材に固定して伸縮不能にしたり該固定を解除して伸縮可能にしたりする２つの下部固定部材とを有する下部アームユニットと；を具えており、そのうち、各前記下部アームは、それぞれ、前記保持面において前記軸線の近くを中心として、前記上部アームユニットに近づく第１位置と、前記上部アームユニットから離れる第２位置との間で微少回動可能になっていることを特徴とする保持装置を提供する。
【０００８】
また、本考案においては、前記各下部アームは、それぞれ、一端が前記アーム支持部材にヒンジ結合されており、他端が前記下部固定部材に貫かれている下部制動アームを有しており、前記下部制動アームは、それぞれ、対応する前記下部アームと前後方向で重なっており、且つ、前記下部アームに面している制動部を有しており、前記各下部アームは、対応する前記制動部と互いに離脱可能に噛み合っている被制動部を有していることが好ましい。
【０００９】
また、前記制動部及びそれに対応する前記被制動部は、それぞれ、互いに噛み合って係止されることができるように歯切りされたラックであることが好ましい。
【００１０】
さらに、前記アーム支持部材には、各前記下部アームに対応して、対応する前記下部固定部材に貫かれているとともに第１端とその反対端である第２端とを有する位置調整溝が設けられており、前記各下部固定部材はそれぞれ前記第１端と前記第２端との間で移動可能になっており、且つ、前記各下部アームがそれぞれ前記第１位置にあるとき、前記各下部固定部材はそれぞれ対応する前記位置調整溝の前記第１位置に対応する前記第１端に位置し、前記各下部アームがそれぞれ前記第２位置にあるとき、前記各下部固定部材はそれぞれ対応する前記位置調整溝の前記第２位置に対応する前記第２端に位置するように構成されていることが好ましい。
【００１１】
また、前記下部アームユニットは、そのいずれの下部アーム先端にも、それぞれ、一端が該先端に前後方向に揺動可能にヒンジ接続され、他端が該先端から前方に向かって突き出るように延伸している下部保持爪を有しているとよい。
【００１２】
また、前記上部アームユニットは、前記アーム支持部材から前記軸線と直交する径方向に沿って上方に向かって延伸するとともに、その延伸方向に沿って前記アーム支持部材に対して前記軸線から離れる延伸位置と、前記軸線に近づく非延伸位置との間で伸縮可能になるように構成されている上部アームと、前記上部アームを前記アーム支持部材に固定して伸縮不能にしたり該固定を解除して伸縮可能にしたりする上部固定部材とを有していることが好ましい。
【００１３】
また、前記上部アームは、一端が前記アーム支持部材にヒンジ結合されており、他端が前記上部固定部材に貫かれている上部制動アームを有しており、前記上部制動アームは、前記上部アームと前後方向で重なっており、且つ、前記上部アームに面している制動部を有しており、前記上部アームは、前記上部制動アームの前記制動部と互いに離脱可能に噛み合っている被制動部を有しているとよい。
【００１４】
また、前記上部アームユニットは、その上部アーム先端に、一端が該先端に前後方向に揺動可能にヒンジ接続され、他端が該先端から前方に向かって突き出るよう延伸している上部保持爪を有していることが好ましい。
【００１５】
さらに、前記上部アームは、それ自体に、その延伸方向に沿って延伸するように穿設されている位置決めスリットを有しており、前記上部固定部材は、前記アーム支持部材と、前記上部アームの前記位置決めスリットとを貫通するように設けられており、前記下部アームは、それぞれの自体に、その延伸方向に沿って延伸するように穿設されている位置決めスリットを有しており、前記各下部固定部材は、それぞれ、対応する前記アーム支持部材と、前記下部アームの前記位置決めスリットとを貫通するように設けられているとよい。
【００１６】
また、前記保持面において前記被保持物に後方から当接できるように前方に面して設けられている押止部材と、回転されると前記押止部材を前後方向に移動させることができるように前記アーム支持部材を貫通しているとともに後方から前記押止部材と螺接されている位置調整つまみと、を有する押止ユニットを更に具えているとなおよい。
【考案の効果】
【００１７】
上記構成によれば、上部アーム及び各下部アームがアーム支持部材に対してそれぞれ伸縮できる上に、各下部固定部材により対応する各下部アームの伸縮位置を固定できるように構成されているので、上記伸縮位置を適宜調整して固定することで、異なるサイズの被保持物でも支障なく安定して保持することができる。さらに、各下部アームが微少回動可能に構成されているので、各アームの伸縮のみによるよりも更に広い範囲で且つ安定して異なるサイズの被保持物に対応することができる。
【図面の簡単な説明】
【００１８】
【図１】従来の保持装置を示す斜視図である。
【図２】本考案の好ましい実施例に係る保持装置を示す分解斜視図である。
【図３】本考案の好ましい実施例に係る保持装置が被保持物を保持している態様の一例を示す斜視図である。
【図４】図３のＩＶ‐ＩＶ線における縦断面図である。
【図５】本考案の好ましい実施例に係る保持装置を示す側面図である。
【図６】本考案の好ましい実施例に係る保持装置が被保持物を保持している態様の一例を示す側面図である。
【図７】本考案の好ましい実施例に係る保持装置において上部アーム及び下部アームが延伸位置にある状態を示す、背面からの斜視図である。
【図８】本考案の好ましい実施例に係る保持装置において上部アーム及び下部アームが非延伸位置にある状態を示す、背面からの斜視図である。
【図９】本考案の好ましい実施例に係る保持装置において下部アームが第１位置にある状態を示す背面図である。
【図１０】本考案の好ましい実施例に係る保持装置において下部アームが第２位置にある状態を示す背面図である。
【考案を実施するための形態】
【００１９】
以下、添付した図面を参照しながら、本考案の具体的な実施例における形態を詳細に説明する。
【００２０】
図２、図３、図４は、本考案の好ましい実施例に係る保持装置を示しており、該保持装置は、例えば携帯式電子機器などの被保持物９（図６参照）を保持するための装置であり、アーム支持部材２と、そこからそれぞれ異なる方向に延伸することで逆Ｙ字型に構成されている上部アームユニット３及び下部アームユニット４と、押止ユニット５と、緩衝ユニット６とを具えている。
【００２１】
アーム支持部材２は、前後方向に延伸する所定の軸線（図２におけるＸで示された一点鎖線）を囲むように設けられている。
【００２２】
上部アームユニット３は、軸線Ｘと直交する径方向（図２においては上方向）にアーム支持部材２から延伸している上部アーム３１と、一端が上部アーム３１の先端に前後方向に揺動可能にヒンジ接続され、他端がその先端から前方に向かって突き出るように延伸している上部保持爪３２と、一端がアーム支持部材２にヒンジ結合されているとともに、対応する上部アーム３１と前後方向で重なっており、且つ上部アーム３１に面している制動部３３１を有する上部制動アーム３３と、上部アーム３１に対応するようにアーム支持部材２及び上部制動アーム３３の他端を貫いている上部固定部材３４と、を有している。
【００２３】
上部アーム３１は、その延伸方向に沿ってアーム支持部材２に対して軸線Ｘから離れるように伸びた延伸位置（図７参照）と、軸線Ｘに近づくように縮んだ非延伸位置（図８参照）との間で伸縮動作が可能になるように、その一端側がアーム支持部材２に内挿されている。
【００２４】
上部アーム３１はまた、その延伸方向に沿って延伸するようにそれ自体に穿設されている位置決めスリット３１１と、上部制動アーム３３の制動部３３１と互いに離脱可能に噛み合うように上部制動アーム３３に面している被制動部３１２とを有している。
【００２５】
上部保持爪３２は、被保持物９（図６参照）を上から固定するためのものであり、上部アーム３１の先端から前方向に延伸する上壁３２１と（図２参照）、上部アーム３１と対面するように上壁３２１の延伸端から下方向に折れ曲がって形成された前壁３２２（図２参照）とを有している。
【００２６】
上部固定部材３４は、上述のようにアーム支持部材２及び上部制動アーム３３の他端を貫いているだけでなく、上部アーム３１の位置決めスリット３１１をも貫いており、その固定をきつくしたり緩めたりすることで、上部アーム３１をアーム支持部材２に固定して前記伸縮動作を不能にしたり、又はその固定を解除して前記伸縮動作を可能にしたりすることができるように構成されている。
【００２７】
なお、本実施例において、制動部３３１及びそれに対応する被制動部３１２としては、それぞれ、互いに噛み合って係止されることができるように歯切りされたラックが用いられており、また、上部固定部材３４としては、つまみ付きのねじを用いたが、具体的な形態はこれに限定されない。
【００２８】
下部アームユニット４は、上部アーム３１との間に被保持物９に面してこれを支持するための保持面４１を画成するようにそれぞれアーム支持部材２から軸線Ｘに直交する他の径方向（図２においてはそれぞれ左下及び右下方向）に向かって且つ延伸するにつれて互いに離れるように伸びる２つの下部アーム４２、４２と、それぞれ前後方向に揺動可能に一端が対応する下部アーム４２の先端にヒンジ接続され、他端が該先端から前方に向かって突き出るように延伸している下部保持爪４３、４３と、それぞれの一端がアーム支持部材２にヒンジ結合されているとともに、対応する下部アーム４２と前後方向で重なっており、且つその下部アーム４２に面している制動部４４１をそれぞれ有する２つの下部制動アーム４４、４４と、各下部アーム４４に対応するようにアーム支持部材２及び各下部制動アーム４４の他端を貫いている２つの下部固定部材４５、４５とを有している。
【００２９】
各下部アーム４２は、上述の上部アーム３１と同様に、それぞれの延伸方向に沿ってアーム支持部材２に対して軸線Ｘから離れるように伸びた延伸位置（図７参照）と、軸線Ｘに近づくように縮んだ非延伸位置（図８参照）との間で伸縮動作が可能になるように、それぞれの一端側がアーム支持部材２に内挿されている。
【００３０】
各下部アーム４２はまた、それぞれの延伸方向に沿って延伸するようにそれぞれの自体に穿設されている位置決めスリット４２１と、対応する下部制動アーム４４の制動部４４１に互いに離脱可能に噛み合うようにその対応する下部制動アーム４４に面している被制動部４２２とを有している。
【００３１】
各下部保持爪４３は、被保持物９を下から支持するためのものであり、対応する下部アーム４２の先端から前方向に延伸する底壁４３１と、対応する下部アーム４２と対面するように底壁４３１の延伸端から上方向に折れ曲がって形成された前壁４３２とを有している。
【００３２】
各下部固定部材４５は、上述のようにアーム支持部材２及び対応する下部制動アーム４４の他端を貫いているだけでなく、対応する下部アーム４２の位置決めスリット４２１をも貫いており、その固定をきつくしたり緩めたりすることで、対応する下部アーム４２をアーム支持部材２に固定して前記伸縮動作を不能にしたり、又はその固定を解除して前記伸縮動作を可能にしたりすることができるように構成されている。
【００３３】
なお、本実施例において、各制動部４４１及びそれに対応する各被制動部４２２としては、それぞれ互いに噛み合って係止されることができるように歯切りされたラックが用いられており、また、各下部固定部材４５としては、つまみ付きのねじを用いたが、具体的な形態はこれに限定されない。
【００３４】
押止ユニット５は、図２、図５、図６に特に示されているように、保持面４１（図７、図８参照）において被保持物９に後方から当接できるように前方に面して設けられている押止部材５１（図６参照）と、回転されると押止部材５１を前後方向に移動させることができるようにアーム支持部材２を軸線Ｘに沿って貫通しているとともに後方から押止部材５１と螺接されている位置調整つまみ５２とを有している。
【００３５】
緩衝ユニット６は、主に図２に示されているように、上部保持爪３２及び各下部保持爪４３のそれぞれの前壁３２２、４３２の後方、及び押止部材５１の前方にそれぞれ設けられた緩衝パッド６１を有している。
【００３６】
上記構成により、図７に示されているように、上部アーム３１及び各下部アーム４２をそれぞれ伸ばして上述した延伸位置に配置すれば、被保持物９が比較的大型のものである場合でもこれを保持することができる。また図８に示されているように、上部アーム３１及び各下部アーム４２をそれぞれ縮めて上述した非延伸位置に配置すれば、被保持物９が比較的小型のものである場合でもこれを保持することができる。
【００３７】
更に、上部アームユニット３及び下部アームユニット４には、上部固定部材３４及び各下部固定部材４５が設けられているので、これらをきつく締めることで、上部アーム３１及び各下部アーム４２の位置を延伸位置と非延伸位置との間の任意の位置で固定してサイズの異なる被保持物９を安定して固定保持することができる。また上部アーム３１及び各下部アーム４２を固定した際には、上部アーム３１においては上部アーム３１の被制動部３１２と上部制動アーム３３の制動部３３１とが、また各下部アーム４２においては各下部アーム４２の被制動部４２２と下部制動アーム４４の制動部４４１とが互いに噛み合って係止するので、上部アーム３１及び各下部アーム４２が不意に移動することなく、固定がさらに安定する。
【００３８】
また、被保持物９の厚みによって押止部材５１の前後位置を調節することにより、上部保持爪３２及び各下部保持爪４３のそれぞれの前壁３２２、４３２と、押止部材５１との間に被保持物９がぴったりと挟まれるので、被保持物９の厚みが多少異なっても、これを安定して保持することができる。
【００３９】
加えて、本実施例において、各前記下部アーム４２は、それぞれ保持面４１において軸線Ｘの近くを中心として、上部アームユニット３に近づく第１位置と、上部アームユニット３から離れる第２位置との間で微少回動可能に構成されている。
【００４０】
詳しく言うと、図２に示されているように、アーム支持部材２には、各下部アーム４２に対応して対応する下部固定部材４５にそれぞれ貫かれているとともに、第１端２１１（図２における上端）と、その反対端である第２端２１２（図２における下端）とを有する２つの位置調整溝２１、２１が穿設されている。各下部固定部材４５は、各下部制動アーム４４と、対応する下部アーム４２の位置決めスリット４２１と、位置調整溝２１とをまとめて貫いている上に、それぞれ位置調整溝２１の第１端２１１と第２端２１２との間で移動可能になっている。
【００４１】
上記構成により、図９に示されているように、各下部固定部材４５をそれぞれ対応する位置調整溝２１の第１端２１１側に移動させると、各下部アーム４２が、対応する下部制動アーム４４がアーム支持部材２にヒンジ結合されている点を中心軸として、上部アームユニット３に近づく第１位置に微少回動する。
【００４２】
これとは逆に、図１０に示されているように、各下部固定部材４５をそれぞれ対応する位置調整溝２１の第２端２１２側に移動させると、各下部アーム４２が、対応する下部制動アーム４４がアーム支持部材２にヒンジ結合されている点を中心軸として、上部アームユニット３から離れる第２位置に微少回動する。
【００４３】
また、上述のように、本実施例においては、各下部固定部材４５としてねじを用いているので、固定をきつくしたり緩めたりすることで、各下部アーム４２を第１位置と第２位置との間の任意の位置で固定することができる。
【００４４】
このように各下部アーム４２が微少回動可能に構成されていることで、各下部保持爪４３間の間隔を微調整できるので、それぞれ、サイズが異なる被保持物９に対する保持を、単に各アームの伸縮によって調整するよりも、さらに広い範囲で調整することができる上に、その保持をより安定させることができる。
【００４５】
以上、本考案の好ましい実施形態を説明したが、本考案はこれに限定されるものではなく、その要旨を逸脱しない範囲で種々変更可能であることはいうまでもない。
【符号の説明】
【００４６】
２              アーム支持部材
２１            位置調整溝
２１１          第１端
２１２          第２端
３              上部アームユニット
３１            上部アーム
３１１          位置決めスリット
３１２          被制動部
３２            上部保持爪
３２１          上壁
３２２          前壁
３３            上部制動アーム
３３１          制動部
３４            上部固定部材
４              下部アームユニット
４１            保持面
４２            下部アーム
４２１          位置決めスリット
４２２          被制動部
４３            下部保持爪
４３１          底壁
４３２          前壁
４４            下部制動アーム
４４１          制動部
４５            下部固定部材
５              押止ユニット
５１            押止部材
５２            位置調整つまみ
６              緩衝ユニット
６１            緩衝パッド
【図１】
0003184303.tif 000003
【図２】
0003184303.tif 000004
【図３】
0003184303.tif 000005
【図４】
0003184303.tif 000006
【図５】
0003184303.tif 000007
【図６】
0003184303.tif 000008
【図７】
0003184303.tif 000009
【図８】
0003184303.tif 000010
【図９】
0003184303.tif 000011
【図１０】
0003184303.tif 000012